(57)【特許請求の範囲】
【請求項１】
樹木やその果実に対する被害を防ぐための樹木用ネットであって、
前記樹木を、該樹木又はその果実に対する被害を防ぐために必要な間隔をおいて、上方及び側方から覆う第１の防護部，
前記樹木から落下した果実を受け止める受止部，
該受止部で受け止めた果実に対する被害を防ぐための第２の防護部，
を備えたことを特徴とする樹木用ネット。
【請求項２】
前記第１の防護部の一部にシートを使用し、前記受止部又は第２の防護部の全部又は一部にネットもしくはシートを使用したことを特徴とする請求項１記載の樹木用ネット。
【請求項３】
前記第１の防護部，受止部，又は第２の防護部の全部もしくは一部を、着脱自在もしくは交換自在としたことを特徴とする請求項２記載の樹木用ネット。
【請求項４】
前記第１の防護部を、地面に立設した柱によって支持するとともに、前記受止部又は前記第２の防護部の少なくとも一方を、前記樹木の枝に引っ掛けるフックによって支持したことを特徴とする請求項１〜３のいずれか一項に記載の樹木用ネット。
【請求項５】
前記第１の防護部，受止部，又は第２の防護部に、少なくとも一つの開閉自在の開口を設けたことを特徴とする請求項１〜４のいずれか一項に記載の樹木用ネット。
【請求項６】
前記受止部又は前記第２の防護部に、雨水を通す水抜手段を設けたことを特徴とする請求項１〜５のいずれか一項に記載の樹木用ネット。
【請求項７】
前記樹木が梅ノ木であり、前記果実が梅の実であり、前記被害がケシキスイ類による被害であることを特徴とする請求項１〜６のいずれか一項に記載の樹木用ネット。
【発明の詳細な説明】
【技術分野】
【０００１】
本発明は、樹木やその果実に対する虫や鳥などによる被害を防ぐための樹木用ネットの改良に関するものである。
【背景技術】
【０００２】
梅干の原料となる梅の実には、アカマダラケシキスイなどのケシキスイ類による被害が知られている。具体的には、アカマダラケシキスイが梅の実（特に完熟化した梅の実）に産卵したり、幼虫が梅の実に食入することで、梅の実に幼虫がついてしまう。このようなケシキスイ類による被害を防ぐ方法の一つとして、例えば、下記特許文献１記載の「梅の実の除虫方法」がある。これは、収穫した梅の実を３０分〜２時間水中に浸し、ケシキスイ類の幼虫が自ら水中に出てくるのを待って梅の実を引き上げるようにしたものである。
【０００３】
また、他の方法としては、梅の実の収穫回数を１日に複数回に増やす，テフルトリン粒剤，フォース粒剤，バリアード顆粒水和剤などの防除薬剤を地面にまくなどがある。これらの方法は、前記特許文献１記載の方法と併用される。
【先行技術文献】
【特許文献】
【０００４】
【特許文献１】特開２００９−６０８１６号公報
【発明の概要】
【発明が解決しようとする課題】
【０００５】
しかしながら、上述した特許文献１記載の方法では、梅の実を水に漬ける時間，梅の実の量，水の量，その他の理由により、必ずしも１００％幼虫を除去することができるとは限らない。また、作業に多大の労力を必要とし、農家の負担も大きい。加えて、梅の実の中で死んでしまった幼虫は除去することができない。更に、仮に幼虫が出てきたとしても、一度幼虫がついてしまった梅の実は、どうしても商品的価値が低下してしまう。
【０００６】
また、梅の実の収穫回数を増やすことは、農作業への負担が過度に増大するという不都合があり、薬剤を使用すると、その使用量によっては健康被害が発生する恐れがある。
【０００７】
本発明は、以上のような点に着目したもので、その目的は、農作業への負担が少なく、健康被害も防ぎつつ、効果的にケシキスイ類などの害虫等による被害を防ぐことである。他の目的は、樹木に温室効果を与えて、果実の熟成を早めることである。
【課題を解決するための手段】
【０００８】
本発明は、樹木やその果実に対する被害を防ぐための樹木用ネットであって、前記樹木を、該樹木又はその果実に対する被害を防ぐために必要な間隔をおいて、上方及び側方から覆う第１の防護部，前記樹木から落下した果実を受け止める受止部，該受止部で受け止めた果実に対する被害を防ぐための第２の防護部，を備えたことを特徴とする。
【０００９】
主要な形態の一つは、前記第１の防護部の一部にシートを使用し、前記受止部又は第２の防護部の全部又は一部にネットもしくはシートを使用したことを特徴とする。また、前記第１の防護部，受止部，又は第２の防護部の全部もしくは一部を、着脱自在もしくは交換自在としたことを特徴とする。更には、前記第１の防護部を、地面に立設した柱によって支持するとともに、前記受止部又は前記第２の防護部の少なくとも一方を、前記樹木の枝に引っ掛けるフックによって支持したことを特徴とする。
【００１０】
他の形態の一つは、前記第１の防護部，受止部，又は第２の防護部に、少なくとも一つの開閉自在の開口を設けたことを特徴とする。あるいは、前記受止部又は前記第２の防護部に、雨水を通す水抜手段を設けたことを特徴とする。主要な形態として、前記樹木が梅ノ木であり、前記果実が梅の実であり、前記被害がケシキスイ類による被害であることを特徴とする。本発明の前記及び他の目的，特徴，利点は、以下の詳細な説明及び添付図面から明瞭になろう。
【発明の効果】
【００１１】
本発明によれば、樹木を第１の防護部で覆うとともに、落下する果実を受け止める受止部に第２の防護部を設けることとしたので、次のような効果が得られる。
（１）木になっている果実のみならず、落下した果実に対しても良好に防護効果を得ることができる。
（２）成虫による産卵のみならず、幼虫の食入による被害も防止できる。
（３）特に、ケシキスイ類に対する薬剤の使用を抑制することができ、健康被害の恐れがない。
（４）農作業への負担を低減することができる。
【図面の簡単な説明】
【００１２】
【図１】本発明の実施例１を示す図である。(A)は全体を示す図，(B)及び(C)は主要部を拡大して示す図である。
【図２】前記実施例１の平面から見た図である。(A)は梅ノ木が直列に並んだ場合、(B)は梅ノ木が互いに隣接してまとまっている場合をそれぞれ示す。
【図３】本発明の実施例２を示す図である。(A)は頂部をシート状とした例，(B)は側面もシート状とした例，(C)は頂部を交互にネット部とシート部にした例である。
【図４】本発明の実施例３を示す図である。(A)は下部シートの周囲の略水平方向に２重のネット構造を設けた例，(B)は下部シートの周囲の略垂直方向に２重のネット構造を設けた例，(C)は下部シートに水抜用の穴を設けた例，(D)及び(E)は他の２重ネット構造の例である。
【図５】本発明の実施例４を示す図である。(A)及び(B)は防護ネット下部をシート状とした例，(C)はファスナーによる開口を設けた例である。
【発明を実施するための形態】
【００１３】
以下、本発明を実施するための最良の形態を、実施例に基づいて詳細に説明する。
【実施例１】
【００１４】
図１(A)には本発明の実施例１の全体構成が示されており、図１(B)には主要部が拡大して示されている。これらの同図において、梅ノ木１０の主幹１２の近傍には、中央支柱２０が地面に立設されており、隣接する複数の梅ノ木１０の外側には、複数の外縁支柱２２が適宜の間隔で設けられている。前記中央支柱２０は、その先端が梅ノ木１０の高さよりも高い位置となるように設定されている。なお、梅ノ木１０と梅ノ木１０の間に中央支柱２０を設けるようにしてもよい。
【００１５】
上側防護ネット３０は、上述した中央支柱２０と外縁支柱２２との間に、梅ノ木１０を覆うように敷設される。このとき、上側防護ネット３０と梅ノ木１０の枝葉とに適度の間隔が空くように、前記支柱２０，２２の本数，高さ，間隔，更には、上側防護ネット３０の張り具合を調整する。梅ノ木１０の下部には、リング状ないし逆Ｌ字状の多数のフック３２によって、枝１４に受止ネット３４が吊るされている。この受止ネット３４の端縁は、外縁支柱２２付近で、上述した上側防護ネット３０の端縁に接合している。
【００１６】
図２には、上から見た状態が示されている。同図(A)は３本の梅ノ木１０が直列に並んでいる場合であり、同図(B)は３本の梅ノ木１０がお互いに隣接している場合である。もちろん、ネット内に収容される梅ノ木１０の数，上側防護ネット３０の面積や設置形状は、適宜変更してよい。また、外縁支柱２２は、上側防護ネット３０の外側に設けてもよい。
【００１７】
ところで、本発明では、上述した梅ノ木１０の下部の受止ネット３４の下に、更に他の底側防護ネット３６が、適宜の間隔をおいて設けられている。この底側防護ネット３６の端縁は、外縁支柱２２付近で、上述した上側防護ネット３０もしくは受止ネット３４の端縁に接合している。なお、必要があれば、補助支柱２４を適宜設けて、受止ネット３４や底側防護ネット３６を支えるようにしてもよい。また、前記中央支柱２０の先端に複数の腕ないしビーム２６を水平方向に設け、このビーム２６によって上側防護ネット３０を支えるようにしてもよい。この際、ちょうど傘の骨のように、開閉自在に複数のビーム２６を中央支柱２０に設けるようにしてもよい。
【００１８】
ここで、前記受止ネット３４は、フック３２によって梅ノ木１０の枝１４に吊るされている。一方、底側防護ネット３６は、その自重により下方に垂れ下がる。このため、受止ネット３４と底側防護ネット３６との間に適宜の間隔Ｄが形成されるようになる。なお、間隔Ｄは、底側防護ネット３６の全体において均一である必要はなく、後述するように、落下した梅の実１６に対する害虫による産卵が防止できる距離であればよい。
【００１９】
上側防護ネット３０，受止ネット３４，底側防護ネット３６の目の大きさは、防護の対象となる害虫等の大きさに対応して設定する。ケシキスイ類であれば、その成虫や幼虫が網の目を通過できないような大きさとする。
【００２０】
なお、梅ノ木１０の主幹１２と、前記受止ネット３４・底側防護ネット３６との間には、必要があれば、幹用防護シート４０を巻きつけるようにする。このとき、この幹用防護シート４０を利用して、受止ネット３４と底側防護ネット３６の端部を、梅ノ木１０の主幹１２に固定するようにしてもよい。これにより、主幹１２を伝ってネット内に侵入しようとする害虫等，特にケシキスイ類の幼虫を排除することができる。中央支柱２０，外縁支柱２２，補助支柱２４にも、同様の防護シートを設けるようにしてよい。
【００２１】
次に、本実施例の全体の作用を説明する。梅ノ木１０は、上述したように、上部及び側部が適宜の間隔を置いて上側防護ネット３０で覆われている。このため、ケシキスイ類などの害虫が、梅ノ木１０の上部や側部から梅の実１６に産卵しようとしても、梅の実１６との間に距離があるため、産卵ができず、幼虫が梅の実１６（特に完熟化した梅の実）につく恐れはない。ケシキスイ類などの幼虫のネット内への侵入も防止され、食入による被害も防止される。梅ノ木１０の下部においても同様である。
【００２２】
一方、梅ノ木１０の下部に着目すると、梅ノ木１０の梅の実１６は、受止ネット３４上に落下する。底側防護ネット３６がないと、ケシキスイ類などの害虫が受止ネット３４の網の目から梅の実１６に産卵する恐れがある。しかし、本発明では、底側防護ネット３６が、受止ネット３４に対して適宜の間隔Ｄを置いて設けられている。このため、ケシキスイ類などの害虫が受止ネット３４の梅の実１６に産卵しようとしても、梅の実１６との間に距離があるため、産卵ができず、幼虫が梅の実１６につく恐れはない。図１(C)には、その様子が示されており、害虫４９が梅の実１６に産卵しようとしても、受止ネット３４と防護ネット３６との間の間隔Ｄによって良好に防止される。なお、梅ノ木１０から落下した梅の実１６は、例えば受止ネット３４に傾斜を設けることで、簡単に集めることができる。つまり、受止ネット３４を収穫ネットとして利用することができる。加えて、受止ネット３４及び底側防護ネット３６がいずれも網目となっているので、雨水がたまるなどの不都合もない。
【００２３】
更に、上側防護ネット３０，受止ネット３４，底側防護ネット３６によって梅ノ木１０が全体として覆われているため、多少ではあるがネット内の温度が上昇する。網の目が小さいほど、上昇の程度は大きい。温度が上昇すると、梅の実１６の等級も上がるようになり、より良質な梅の実を得ることができる。加えて、風が吹くと梅の実１６が梅ノ木１０から落下するが、その風の影響が低減されるようになり、梅の実１６の落下も遅れるようになって、完熟の度合いが増すようになる。このような観点からも、梅の実１６の等級向上が期待できる。更に、ケシキスイ類に対する薬剤を使用しない，あるいは使用量を低減することができるので、健康被害も防ぐことができる。また、梅の実１６の収穫回数を増やす必要もないので、農作業への負担も軽減される。
【００２４】
なお、受止ネット３４と底側防護ネット３６との間にスペーサを設ける，底側防護ネット３６にウエイトを取り付ける，底側防護ネット３６自体を重量のある素材とする，などの方法で、受止ネット３４と底側防護ネット３６との間隔Ｄを確実に確保することができる。
【実施例２】
【００２５】
次に、図３を参照しながら、本発明の実施例２について説明する。同図(A)の例は、上側防護ネット５０のうち、中央支柱２０を中心とする頂部分が透明な樹脂製のシート部５２と、その下部のネット部５４とによって構成されている。シート部５２は、ネット部５４に対し、例えばファスナー（面ファスナーを含む。）５６によって交換自在ないし着脱自在となっているが、もちろん一体としてもよい。このように、防護ネット５０の一部を、網目状とすることなく、シート状とすることで、防護ネット５０内の温度上昇の度合いが高くなる。このため、梅の実１６の完熟度がより高くなったり、従来よりも早く完熟するようになって、収穫期を早めることが可能となる。害虫・害鳥による被害が発生する時期よりも収穫期を早めることができれば、全体として被害を抑制することができる。また、ファスナー５６を使用しているので、シート部５２をネットと交換すれば、前記図１の実施例のような上側防護ネット５０の全体を網目状とすることができる。
【００２６】
図３(B)の例は、上側防護ネット６０を、シート部６２，ネット部６４，シート部６６によって構成し、ファスナー７０，７２で着脱自在ないし交換自在とした例である。特に、梅ノ木１０の側面をシート部６６とすることで、風の影響を低減することができる。
【００２７】
以上の実施例は、上下方向において一部をシートとした例であるが、図３(C)の例のように、平面内において一部をシートとしてもよい。図示の場合、上側防護ネット８０は、全体が円筒状となっており、その頂部分では、扇状のネット部８２とシート部８４を交互に配置した構成となっている。ネット部８２とシート部８４はファスナー８６によって接合されており、それらネット部８２，シート部８４と、側面のネット部８８はファスナー９０によって接合されている。もちろん、上側防護ネット８０の側面部分を、ネット部とシート部とによって構成するようにしてもよい。
【００２８】
更に、図３(A)ないし(B)と、同図(C)を組み合わせるようにしてもよい。例えば、風が一方から梅ノ木１０に対して吹きつけるような環境の場合、その方向をシート部として風を遮ることで、風の影響を大幅に低減することができる。受止ネット３４，底側防護ネット３６についても、同様に一部をシートとしてよく、ファスナーを利用して着脱自在ないし交換自在としてよい。
【実施例３】
【００２９】
次に、図４を参照しながら、本発明の実施例３について説明する。本実施例は、防護ネットの下部を網目状ではなくシート状とした例である。同図(A)の例は、上側防護ネット１００の下部に底側防護シート１０２を設け、梅ノ木１０の主幹１２の近傍に設けた補助支柱２４によって主幹１２側が高く、枝１４の先端側が低くなるように設定されている。また、底側防護シート１０２の外縁側に、受止ネット部１０４，底側防護ネット部１０６を適宜の間隔をもって配置した構成となっている。このため、落下した梅の実１６は、受止ネット部１０４上に貯まるようになり、害虫４９による産卵は底側防護ネット部１０６によって防止される。なお、本実施例では、上側防護ネット１００の側面が側面防護シート部１０８となっているが、ネットとしてもよい。
【００３０】
図４(B)の例は、同様に上側防護ネット１１０の下部に底側防護シート１１２を設けるとともに、この底側防護シート１１２の端部に垂直方向に、受止ネット部１１４，側面防護ネット部１１６を適宜の間隔をもって配置した構成となっている。図４(A)は、２重のネット部を底側防護シート１０２の端部に水平方向に設けた例であり、図４(B)は、２重のネット部を底側防護シート１１２の端部に垂直方向に設けた例であると考えることができるが、側面防護シート部１１８に２重のネット部を設けたと考えることもできる。
【００３１】
図４(C)の例は、前記図４(B)の変形例で、底側防護シート１１２を、主幹１２側が高く、枝１４の先端側が低くなるように張設できないときに対応したものである。本例では、底側防護シート１１２に、適当な間隔で水抜用の穴１１３が多数設けられている。また、底側防護シート１１２の下側には、底側防護ネット部１１５が設けられている。底側防護シート１１２の端部の構造は、前記図４(B)の例と同様である。本例によれば、底側防護シート１１２に弛みが生じ、その部分に梅の実１６が貯まっても、雨水は水抜用の穴１１３から排出される。また、底側防護ネット部１１５があるので、害虫４９による産卵も良好に防止される。なお、底側防護ネット部１１５は、地面に接触していてもよい。また、底側防護ネット部１１５と側面防護ネット部１１６を一体の構成としてもよい。
【００３２】
図４(D)の例は、上側防護ネット１２０の下部に設けた底側防護シート１２２の延長上に受止ネット部１２４が形成されており、この受止ネット部１２４を覆うように、上側防護ネット１２０の側面防護シート部１２６，１２８が曲折して設けられている。そして、底側防護シート１２２と側面防護シート部１２８との間に形成された開口部に防護ネット部１３０が形成されている。梅の実１６は、受止ネット部１２４に集まり、雨水は受止ネット部１２４，防護ネット部１３０から矢印で示すように落下する。この例においても、受止ネット部１２４と防護ネット部１３０との間に距離があるため、ケシキスイ類などの害虫は産卵ができず、幼虫が梅の実１６につく恐れはない。
【００３３】
図４(E)は、同図(D)の変形例で、上側防護ネット１４０の下部に設けた底側防護シート１４２の延長上に受止ネット部１４４が、上方に向かって曲折するように形成されている。一方、側面防護シート部１４６は、下方に延長しており、その先に、前記受止ネット部１４４を覆うように防護ネット部１４８が形成されている。梅の実１６は、受止ネット部１４４に集まり、雨水は受止ネット部１４４，防護ネット部１４８から矢印で示すように落下する。
【００３４】
なお、梅の実１６を集積する部位は、底側防護ネットないし底側防護シートの端部の全周に設けてもよいし、一箇所ないし複数個所としてもよい。また、端部ではなく中央寄りに設けるようにしてもよい。ネットやシートの調節具合により、梅の実１６は、最も低い位置に集まるので、その箇所を受止ネットとするとともに、害虫による産卵を防ぐことができる距離に防護ネットを設けるようにすればよい。本例によれば、樹木用ネットの下部をシート状とすることができるので、強度の向上を図ることができる。また、地面から生える雑草などの影響を低減することができる。
【実施例４】
【００３５】
次に、図５を参照しながら、本発明の実施例４について説明する。図５(A)の例は、防護ネット１５０の下部の底側防護シート１５２に水抜用の穴１５４を多数設けるとともに、地面１５６に接近ないし接触させた例である。落下した梅の実１６を利用せず廃棄する場合は、このような構成であってもよい。
【００３６】
図５(B)の例は、防護ネット１６０の下部の底側防護シート１６２を地面１５６に接地ないし接触させるとともに、前記底側防護シート１６２の周囲に水抜ネット部１６４を設けている。その水抜ネット部１６４の外側には、側面防護ネット部１６６が設けられている。本例は、梅ノ木１０の主幹１２のところの地面１５６が周囲よりも盛り上がっているような場合に好適であり、雨水は、前記底側防護シート１６２の周囲の水抜ネット部１６４から排水される。また、側面防護ネット部１６６によって、水抜ネット部１６４付近における害虫被害が防止される。
【００３７】
図５(C)の例は、実施例１に対して、消毒などのための開口を設けた例である。防護ネット３０にネットが解れないように補強部２００を形成し、この補強部２００の中央付近に、ジッパーや面ファスナーなどによって開閉自在の開口２０２を形成する。このような開口２０２は、必要に応じて複数設けてもよい。また、下部の受止ネット３４や底側防護ネット３６に設けるようにしてもよい。特に、受止ネット３４や底側防護ネット３６に設けた開口２０２を、梅の実１６の収穫用に利用することもできる。他の実施例に対しても同様であり、シート部に設けてもよい。また、作業者がネット内に入ることができるような開閉自在の開口を設けるようにしてもよい。
【００３８】
なお、本発明は、上述した実施例に限定されるものではなく、前記実施例の組み合わせなど、本発明の要旨を逸脱しない範囲内において種々変更を加えることができる。例えば、以下のものも含まれる。
（１）前記実施例で示したネットの設置方法はいずれも一例であり、各種の公知の方法を用いてよい。ネットないしシートや支柱などの形状や構造も、公知の各種のものを適用してよい。
（２）ネット，シート，支柱に、防虫用あるいは防鳥用の忌避剤を塗布ないし含有させるようにして、積極的に害虫などを排除するようにしてもよい。
（３）前記実施例では、いずれも２重のネット構造としたが、網目の大きさは、両者で異なっていてもよい。例えば、内側の梅の実を受け止める受止ネット部は、梅の実が落下しなければよく、外側の防護ネット部は、害虫の侵入を防ぐことができればよい。ネットには、シートに雨水を通すための穴を開けたものも含まれる。
（４）本発明の好適な例としては、梅の実に対するケシキスイ類の被害防止であるが、他の害虫や害鳥による被害防止に適用することを妨げるものではない。
【産業上の利用可能性】
【００３９】
本発明によれば、樹木の全体をネット又はシートによって防護するとともに、落下した果実の受止部位を２重のネット構造としたので、樹木になっている果実のみならず、落下した果実に対しても良好に防護効果を得ることができ、果樹全般，特に梅の実に対するケシキスイ類による被害の防止に好適である。
【符号の説明】
【００４０】
１０：梅ノ木
１２：主幹
１４：枝
１６：梅の実
２０：中央支柱
２２：外縁支柱
２４：補助支柱
２６：ビーム
３０：上側防護ネット
３２：フック
３４：受止ネット
３６：底側防護ネット
４０：幹用防護シート
４９：害虫
５０：上側防護ネット
５２：シート部
５４：ネット部
５６：ファスナー
６０：上側防護ネット
６２：シート部
６４：ネット部
６６：シート部
７０，７２：ファスナー
８０：上側防護ネット
８２：ネット部
８４：シート部
８６：ファスナー
８８：ネット部
９０：ファスナー
１００：上側防護ネット
１０２：底側防護シート
１０４：受止ネット部
１０６：底側防護ネット部
１０８：側面防護シート部
１１０：上側防護ネット
１１２：底側防護シート
１１３：穴
１１４：受止ネット部
１１５：底側防護ネット部
１１６：側面防護ネット部
１１８：側面防護シート部
１２０：上側防護ネット
１２２：底側防護シート
１２４：受止ネット部
１３０：防護ネット部
１２６，１２８：側面防護シート部
１４０：上側防護ネット
１４２：底面防護シート
１４４：受止ネット部
１４６：側面シート部
１４８：防護ネット部
１５０：防護ネット
１５２：底側防護シート
１５４：穴
１５６：地面
１６０：防護ネット
１６２：底側防護シート
１６４：水抜ネット部
１６６：側面防護ネット部
２００：補強部
２０２：開口
Ｄ：間隔
【図１】
0005408568.tif 000002
【図２】
0005408568.tif 000003
【図３】
0005408568.tif 000004
【図４】
0005408568.tif 000005
【図５】
0005408568.tif 000006